(57)【要約】【課題】組立工数や部品点数を増加させることなく、外観部材やインナー部材を外装カバーに対して固定することが出来る撮像装置を提供すること。【解決手段】外装カバーにインナー部材の位置決め形状を設け、インナー部材を位置決めすると共に、外観部材に設けられた係合部をインナー部材に外装カバーの位置決め部が挟み込まれた状態でバヨネット係合し、レンズロック解除ボタンを保持する為の保持フレームにより外観部材の回転方向の規制行う構成とした。【選択図】図３
2013160820.tif 000002
【特許請求の範囲】
【請求項１】
外装カバーと、前記外装カバーに取り付けられる外観部材と、前記外装カバーに取り付けることで内部部品を保持するインナー部材と、前記インナー部材に固定される保持フレームと、を有する撮像装置において、前記外観部材に設けられた係合部を前記インナー部材にバヨネット係合された後、保持フレームがインナー部材に固定されることで、前記外装カバーに対して、前記インナー部材と前記外観部材を固定することを特徴とした撮像装置。
【請求項２】
前記外装カバーには、前記インナー部材を位置決めするための位置決め形状部を備え、前記外観部材を前記インナー部材にバヨネット係合する際に前記位置決め形状部が前記外観部材と前記インナー部材との間に挟み込まれることを特徴とする請求項１に記載の撮像装置。
【請求項３】
前記保持フレームは、撮像装置本体に着脱可能な交換レンズの取り外しを行うためのレンズロック解除ボタンの保持を行うことを特徴とする請求項１又は請求項２に記載の撮像装置。
【請求項４】
前記外観部材及び前記保持フレームは金属で形成され、前記保持フレームに板バネ部を設け、板バネ部が前記外観部材と撮像装置内部の金属シャーシと接触することで導通接続することを特徴とする請求項１乃至請求項３の何れか１項に記載の撮像装置。
【発明の詳細な説明】
【技術分野】
【０００１】
本発明は、外装カバーに外観部材が取り付けられた機器に関するものである。
【背景技術】
【０００２】
近年、デジタルカメラなどの撮像装置は、外観を良好にするために筺体に金属外装を使用している場合がある。さらに、レンズ鏡筒を備えた撮像装置の筺体前面においては、レンズ鏡筒の周囲に、レンズ交換可能な撮像装置においては、レンズ着脱用マウントの周囲に、リング状の外観部材がデザイン的に配置されたものがある。
【０００３】
図１２は、従来の撮像装置の外観を示す斜視図である。従来の撮像装置では、鏡筒１０４は、レンズや撮像素子を内蔵し、その一部が露出されて撮像装置１０１の内部に収容されている。また、鏡筒１０４の周囲には、リング状の外観部材である鏡筒リング１０２が配されている。
【０００４】
図１３は、鏡筒リング１０２の組み付け方法を示す分解斜視図である。図１３に示すように、鏡筒リング１０２は、前面カバー１０３の位置決めボス１０３ａ、１０３ｂに対して鏡筒リングの凹部１０２ａ、１０２ｂがそれぞれ係合し、位置決めされる。そして、鏡筒リング１０２は、３本のビス１１０ａ、１１０ｂ、１１０ｃにより、前面カバー１０３に固定される。
【０００５】
図１２および図１３に示すような構造では、ビス締めのためのスペースが必要であった。このため、カメラに対して鏡筒が大きく鏡筒リングの厚みがとれない場合や、ビス座が作れない場合、ビス締めを行うことができなかった。さらに、また、組み立ての工程にビス締めの作業が増えてしまう。また、組み立ての工程では、ビス締めの代わりに、かしめ作業が行われる場合もある。
【０００６】
この問題に対する解決方法として、リング状外観部材に外装カバーに係合する係合部を形成し、外装カバーに係合させたのち、内部部品を保持するインナー部材を外装カバーの内側に接着剤もしくは両面テープによる貼り付け等により取り付けることで、リング状外観部材の係合部とインナー部材が係合して、リング状外観部材を外装カバーに固定するものが提案されている(たとえば、特許文献１参照)。
【先行技術文献】
【特許文献】
【０００７】
【特許文献１】特開2010-145707号公報
【発明の概要】
【発明が解決しようとする課題】
【０００８】
しかしながら、上記特許文献１に記載のインナー部材の外装カバーの内側への取り付けを接着剤を塗布して行う場合、接着剤塗布による組立工数の増加や接着剤の外観付着やはみ出しにより外観不良となるといったいった問題があった。また両面テープ貼り付けによりインナー部材を固定する場合、部品点数が増加するといった問題があった。
【０００９】
そこで、本発明は、上記問題点を解決するためになされたものであり、組立工数や部品点数を増加させることなく、外観部材やインナー部材を外装カバーに対して固定することが出来る撮像装置を提供することを目的とする。
【課題を解決するための手段】
【００１０】
上記の目的を達成するために、請求項１に記載の発明は、外装カバーと、前記外装カバーに取り付けられる外観部材と、前記外装カバーに取り付けることで内部部品を保持するインナー部材と、前記インナー部材に固定される保持フレームと、を有する撮像装置において、前記外観部材に設けられた係合部を前記インナー部材にバヨネット係合された後、保持フレームがインナー部材に固定されることで、前記外装カバーに対して、前記インナー部材と前記外観部材を固定することを特徴とした。
【００１１】
請求項２に記載の発明は、請求項１に記載の撮像装置において、前記外装カバーには、前記インナー部材を位置決めするための位置決め形状部を備え、前記外観部材を前記インナー部材にバヨネット係合する際に前記位置決め形状部が前記外観部材と前記インナー部材との間に挟み込まれることを特徴とした。
【００１２】
請求項３に記載の発明は、請請求項１及び請求項２の何れか記載の撮像装置において、前記保持フレームは、撮像装置本体に着脱可能な交換レンズの取り外しを行うためのレンズロック解除ボタンの保持を行うことを特徴とした。
【００１３】
請求項４に記載の発明は、請求項１から請求項３の何れか記載の撮像装置において、前記外観部材及び前記保持フレームは金属で形成され、前記保持フレームに板バネ部を設け、板バネ部が前記外観部材と撮像装置内部の金属シャーシと接触することで導通接続することを特徴とした。
【発明の効果】
【００１４】
以上説明したように、本発明によれば、外装カバーにインナー部材の位置決め形状部を設け、インナー部材を位置決めすると共に、外観部材に設けられた係合部をインナー部材に外装カバーの位置決め形状部が挟み込まれた状態でバヨネット係合され、レンズロック解除ボタンを保持する為の保持フレームにより外観部材の回転方向の規制行う構成とした。
【００１５】
よって、接着剤や両面テープを用いることなく、外装カバーに対してインナー部材及び外観部材を固定することが可能となり、接着剤塗布による組立工数の増加や接着剤の外観付着やはみ出しにより外観不良、両面テープ貼り付けによる部品点数の増加を防止することが可能となる。
【図面の簡単な説明】
【００１６】
【図１】本発明実施形態におけるデジタルカメラの前面方向から見た外観斜視図である。
【図２】本発明実施形態におけるデジタルカメラの背面方向から見た外観斜視図である。
【図３】本発明実施形態における前面カバーユニットの構成を示す前面方向から見た分解斜視図である。
【図４】本発明実施形態における前面カバーユニットの構成を示す背面方向から見た分解斜視図である。
【図５】本発明実施形態におけるインナー部材４１を前面カバー２１への組み付けを説明するための前面方向から見た分解斜視図である。
【図６】本発明実施形態におけるインナー部材４１を前面カバー２１に組み付けた状態の正面図である。
【図７】本発明実施形態におけるリング状外観部材３１を組み付けた状態における背面図である。
【図８】図７のＡ−Ａ線方向から見た断面図である。
【図９】本発明実施形態におけるレンズロック解除ボタン４を組み付けた状態における背面図である。
【図１０】図９の２点鎖線Ｂで囲まれた部分を拡大して示す詳細図である。
【図１１】図９のＣ−Ｃ線方向から見た断面図である。
【図１２】従来の撮像装置の外観を示す斜視図である。
【図１３】従来の鏡筒リング１０２の組み付け方法を示す分解斜視図である。
【発明を実施するための形態】
【００１７】
以下に、本発明の好ましい実施の形態の撮像装置を、レンズ交換可能なデジタルカメラに適応した場合について、図面を参照しながら説明する。
【００１８】
図１は、本発明の実施形態におけるレンズ交換可能なデジタルカメラの前面方向から見た外観斜視図、図２は背面方向から見た外観斜視図である。
【００１９】
図１及び図２において、デジタルカメラ本体１は、カメラマウント２、レンズロックピン３、レンズロック解除ボタン４、モードダイヤル５、レリーズボタン６、電源ボタン７、表示部８、操作ボタン９、セットボタン１０、電子ダイヤル１１、動画撮影ボタン１２を備える。
【００２０】
カメラマウント２には、不図示の交換レンズを係合するためのバヨネット爪が設けられている。交換レンズのデジタルカメラ本体１への装着は、交換レンズに設けられたレンズマウントを所定のレンズ交換位置で、カメラマウント２に密着させ、その密着状態を保ったままバヨネット爪を交換レンズに係合させながら所定のレンズロック位置まで回転させる。レンズロック位置では、レンズロックピン３がレンズマウントに係合し、デジタルカメラ本体１に固定される。交換レンズをデジタルカメラ本体１から取り外すには、レンズロック解除ボタン４を押圧することで、レンズロックピン３による交換レンズのロックを解除し、交換レンズをレンズアンロック位置まで回転させることでデジタルカメラ本体１から取り外すことが可能となる。
【００２１】
モードダイヤル５は、撮影モードを、オートモード、マニュアルモード、動画モード等の種々のモードに切り替える際、撮影者によって回転操作される。
【００２２】
レリーズボタン６は、デジタルカメラ本体１に内蔵されたＣＭＯＳやＣＣＤ等の撮像素子で撮像されている電気信号を静止画として取り込む際、撮影者によって押圧操作される。
【００２３】
表示部８は、撮影中の画像(いわゆるスルー画像)やメニュー画面の他、電池残量、現在日時、撮影可能枚数等の各種情報を表示する。
【００２４】
操作ボタン９には、例えば、表示部８に表示される各種情報の表示/非表示を切り替える機能や、メニュー表示等、その他様々な機能が割当られる。
【００２５】
電子ダイヤル１１は、表示部８にメニュー画面を表示させた際、メニュー内に表示されているカーソルを所望の方向へ移動させる際、撮影者によって回転操作される。
【００２６】
動画撮影ボタン１２は、動画撮影を行う際に、撮影者によって押圧操作される。
【００２７】
また、デジタルカメラ本体１の外装(ケーシング)は、前面カバー２１、上面カバー２２、背面カバー２３、側面カバー２４、２５より構成されている。各カバーの組み立ての概要は、次の通りである。すなわち、カメラユニットの上面に上面カバーユニットをビスにより固定する。次に、カメラユニットの背面に背面カバーユニットを取り付け、カメラユニットの前面に前面カバーユニットを取り付ける。最後に、カメラユニットの側面に側面カバーを取り付け、ビスで固定することで、デジタルカメラ本体１の外装(ケーシング)は完成する。
【００２８】
次に、図３から図１１を用いて、前面カバーユニットの構成について説明する。図３は、前面カバーユニットの構成を示す前面方向から見た分解斜視図、図４は、背面方向から見た分解斜視図である。前面カバーユニットは、アルミニウムなどの金属製の前面カバー２１、アルミニウム等などの金属製のリング状外観部材３１、レンズロック解除ボタン４、レンズロック解除ボタン４を保持するための樹脂製のインナー部材４１及び金属製の保持フレーム６１、レンズロック解除ボタン４を付勢する圧縮バネ５１、保持フレーム６１をインナー部材４１に固定するためのビス７１から構成される。インナー部材４１には、レンズロック解除ボタン４、保持フレーム５１の他、図示しない基板や各種部品が保持される。
【００２９】
前面カバーユニットの組み付け手順について説明する。図５は、インナー部材４１を前面カバー２１への組み付けを説明するための前面方向から見た分解斜視図、図６は、インナー部材４１を前面カバー２１に組み付けた状態の正面図である。
【００３０】
前面カバー２１には位置決め形状部２１a,２１ｂが設けられており、この位置決め形状部２１a,２１ｂにインナー部材４１の突起部４１f,４１gが前面カバー２１の背面方向より嵌合することで、インナー部材４１が前面カバー２１に対して位置決めされる。この際、前面カバー２１の穴部２１ｃより、インナー部材４１に設けられた係合リブ４１a〜４１eが露出する。
【００３１】
次に、リング状外観部材３１の組み付け手順について説明する。図７は、リング状外観部材３１を組み付けた状態における背面図である。図８は、図７のＡ−Ａ線方向から見た断面図である。
【００３２】
リング状外観部材３１は、カメラマウント２を覆うために略円柱形状を有する。また、リング状外観部材３１の端部には、インナー部材４１と係合するための５つの爪部３１a〜３１eが形成されており、インナー部材に設けられた係合リブ４１a〜４１eに対して前面カバー２１に設けられた位置決め形状部２１a,２１ｂをインナー部材４１との間に挟み込むようにバヨネット係合により取り付けられる。従って、本来の取り付け位置から図７の時計回りに所定の角度回転させた状態で、リング状外観部材３１は、図８(Ａ)に示すようにインナー部材４１に挿入される。
【００３３】
そして、図８(Ｂ)に示すようにリング状外観部材３１の端部を、前面カバー２１の位置決め用爪部２１a,２１b及びインナー部材４１の係合リブ４１a〜４１eに突き当てた後、図８(Ｃ)に示すようにリング状外観部材３１を、インナー部材４１に対して図７の反時計回りに所定の角度回転させる。このとき、リング状外観部材３１に設けられた爪部３１a〜３１eがインナー部材４１に設けられた係合リブ４１a〜４１eと係合することで、前カバー２１に対してインナー部材４１及びリング状外観部材３１が固定される。
【００３４】
リング状外観部材３１の回転方向の規制について説明する。
【００３５】
図９は、レンズロック解除ボタン４を組み付けた状態における背面図である。図１０は、図９の２点鎖線Ｂで囲まれた部分を拡大して示す詳細図である。図１１は、図９のＣ−Ｃ線方向から見た断面図である。
【００３６】
前カバー２１に対してインナー部材４１及びリング状外観部材３１が固定された後、レンズロック解除ボタン４の組み付けが行われる。レンズロック解除ボタン４の組み付けは、インナー部材４１の開口穴４１ｈ及び前面カバー２１の開口穴２１dより前面カバー２１に対して外観に一部露出した状態でインナー部材４１に組み込まれる。そして、レンズロック解除ボタン４が、圧縮バネ５１により付勢された状態で保持フレーム６１をビス７１によりインナー部材４１に固定する。この際、保持フレーム６１の曲げ部６１aが、リング状外観部材３１の爪部３１cの後端部３１fと当接するように組み込まれることで、リング状外観部材３１の回転方向の規制が行われる。
【００３７】
また、保持フレーム６１には、不要輻射や静電対策として、リング状外観部材３１をデジタルカメラ本体１の内部に設けられた図示しない金属シャーシに対して導通接続する機能も有する。
【００３８】
保持フレーム６１には、リング状外観部材３１と接触する板バネ部６１b及びデジタルカメラ本体１内部の図示しない金属シャーシと接触する板バネ部６１cが設けられている。このように、保持フレーム６１に設けられた板バネ部６１b,６１cにより、デジタルカメラ本体１内部の図示しない金属シャーシとリング状外観部材３１が安定的に導通接続することが可能となる。よって、リング状外観部材３１が不要輻射のノイズ源となり、他の電子機器への妨害を及ぼしたり、リング状外観部品３１に落ちた静電気の２次放電により、デジタルカメラ本体１が誤動作することを防止することが可能となる。
【００３９】
以上説明したように、本発明の実施形態では、前面カバーにインナー部材の位置決め用の爪部を設け、インナー部材を位置決めすると共に、インナー部材に設けれらた係合リブとリング状外観部材に設けれたら爪部が、前面カバーに設けれた位置決め用の爪部を挟み込んだ状態でバヨネット係合される。また、レンズロック解除ボタンを保持する為の保持フレームによりリング外観部材の回転方向の規制行う構成とした。
【００４０】
よって、接着剤や両面テープを用いることなく、前カバーに対してインナー部材及びリング状外観部材を固定することが可能となり、接着剤塗布による組立工数の増加や接着剤の外観付着やはみ出しにより外観不良、両面テープ貼り付けによる部品点数の増加を防止することが可能となる。
【符号の説明】
【００４１】
１‥‥デジタルカメラ本体
２１‥‥前面カバー
２１a,２１b‥‥位置決め形状部
３１‥‥リング状外観部材
３１a〜３１e‥‥爪部
４１‥‥インナー部材
４１a〜４１e‥‥係合リブ
４１f,４１g‥‥突起部
６１‥‥保持フレーム
６１b,６１c‥‥板バネ部
【図１】
2013160820.tif 000003
【図２】
2013160820.tif 000004
【図３】
2013160820.tif 000005
【図４】
2013160820.tif 000006
【図５】
2013160820.tif 000007
【図６】
2013160820.tif 000008
【図７】
2013160820.tif 000009
【図８】
2013160820.tif 000010
【図９】
2013160820.tif 000011
【図１０】
2013160820.tif 000012
【図１１】
2013160820.tif 000013
【図１２】
2013160820.tif 000014
【図１３】
2013160820.tif 000015